(57)【特許請求の範囲】
【請求項１】
周辺セルを最適化する方法であり、第１のネットワーク及び第２のネットワークは、重なり合うネットワーク構成にあり、前記第１のネットワークの第１のセル及び前記第２のネットワークの第２のセルは、共通のカバレッジエリアを有し、前記第１のセルに対応する基地局は、前記第２のセルに対応する基地局と異なる方法であって、
前記第２のセルに対応する前記基地局により、前記第２のセルの端末が未確認の物理識別子（PCI）を報告したことを検出するステップと、
前記第２のセルに対応する前記基地局により、前記未確認のPCIに対応するグローバルセル識別子（GCI）を取得し、前記GCIに対応するセルが前記第１のセルの未構成の周辺セルであると判定するステップと、
前記第２のセルに対応する前記基地局により、前記第１のセルに対応する基地局（BSS）又はオペレーションサポートシステム（OSS）が前記未構成の周辺セルについての情報に従って前記第１のセルの前記未構成の周辺セルを取得し、前記未構成の周辺セルを前記第１のセルの周辺セルリストに追加するため、前記未構成の周辺セルについての情報を前記BSS又はOSSに送信するステップと
を有する方法。
【請求項２】
前記未構成の周辺セルについての情報は、前記第２のセルと前記未確認のPCIに対応する前記第２のネットワークのセルとの対応についての情報と、前記第２のセルのGCIと、前記未確認のPCIに対応する前記GCIとを有し、
前記BSS又はOSSにより、前記未構成の周辺セルについての情報に従って前記第１のセルの前記未構成の周辺セルを取得することは、
前記BSS又はOSSにより、前記第２のセルの前記GCIに従って前記第２のセルに対応するセルが前記第１のセルであると判定し、
前記未確認のPCIに対応する前記GCIに従って前記GCIに対応する前記第１のネットワークのセルを判定し、
前記第１のネットワークにおいて前記GCIに対応するセルが前記第１のセルの前記未構成の周辺セルであるか否かを判定し、
前記セルが前記第１のセルの前記未構成の周辺セルである場合、前記GCIに対応する前記第１のネットワークのセルを取得することを有する、請求項１に記載の方法。
【請求項３】
前記未構成の周辺セルについての情報は、前記第１のセルと前記未確認のPCIの前記GCIに対応する前記第１のネットワークのセルとの対応についての情報と、前記未確認のPCIに対応する前記GCIとを有し、
前記BSS又はOSSにより、前記未構成の周辺セルについての情報に従って前記第１のセルの前記未構成の周辺セルを取得することは、
前記BSS又はOSSにより、前記第１のセルと前記GCIに対応する前記第１のネットワークのセルとの対応についての情報に従って前記GCIに対応する前記第１のネットワークのセルを取得し、
前記GCIに対応する前記第１のネットワークのセルが前記第１のセルの前記未構成の周辺セルであるか否かを判定し、
前記セルが前記第１のセルの前記未構成の周辺セルである場合、前記GCIに対応する前記第１のネットワークのセルを取得することを有する、請求項１に記載の方法。
【請求項４】
前記未構成の周辺セルを前記第１のセルの周辺セルリストに追加するステップは、
前記第１のセルの前記周辺セルリストを取得するステップと、
前記周辺セルリストに前記未構成の周辺セルと同じモバイルショートコードを有するセルを有するセルが存在するか否かを判定するステップと、
このようなセルが存在しない場合、前記未構成の周辺セルを前記第１のセルの前記周辺セルリストに追加するステップと
を有する、請求項１ないし３のうちいずれか１項に記載の方法。
【請求項５】
前記周辺セルリストに前記未構成の周辺セルと同じモバイルショートコードを有するセルが存在する場合、前記未構成の周辺セルについての情報と、モバイルショートコードのコンフリクトが存在するという判定の情報と、コンフリクトしたモバイルショートコードとを含む周辺セル最適化情報を記録するステップを更に有する、請求項４に記載の方法。
【請求項６】
前記周辺セルリストに前記未構成の周辺セルと同じモバイルショートコードを有するセルが存在する場合、前記未構成の周辺セルの前記モバイルショートコードが前記周辺セルリストのモバイルショートコードと異なるように調整し、前記未構成の周辺セルを前記第１のセルの前記周辺セルリストに追加するステップを更に有する、請求項４に記載の方法。
【請求項７】
第１のネットワーク及び第２のネットワークは、重なり合うネットワーク構成にあり、前記第１のネットワークの第１のセル及び前記第２のネットワークの第２のセルは、共通のカバレッジエリアを有し、前記第１のセルに対応する基地局は、前記第２のセルに対応する基地局と異なる場合、前記第２のセルに対応する基地局であって、
前記第２のセルの端末が未確認の物理識別子（PCI）を報告したことを検出するように構成された検出モジュールと、
前記未確認のPCIに対応するグローバルセル識別子（GCI）を取得し、前記GCIに対応するセルが前記第１のセルの未構成の周辺セルであると判定するように構成された取得モジュールと、
前記第１のセルに対応する基地局（BSS）又はオペレーションサポートシステム（OSS）が前記未構成の周辺セルについての情報に従って前記第１のセルの前記未構成の周辺セルを取得し、前記未構成の周辺セルを前記第１のセルの周辺セルリストに追加するため、前記未構成の周辺セルについての情報を前記BSS又はOSSに送信するように構成された送信モジュールと
を有する基地局。
【請求項８】
第１の基地局と第２の基地局とを含む、周辺セルを最適化するシステムであり、第１のネットワーク及び第２のネットワークは、重なり合うネットワーク構成にあり、前記第１のネットワークの第１のセル及び前記第２のネットワークの第２のセルは、共通のカバレッジエリアを有し、前記第１のセルに対応する基地局は、前記第１の基地局であり、前記第２のセルに対応する基地局は、前記第２の基地局であるシステムであって、
前記第２の基地局は、前記第２のセルの端末が未確認の物理識別子（PCI）を報告したことを検出し、前記未確認のPCIに対応するグローバルセル識別子（GCI）を取得し、前記GCIに対応するセルが前記第１のセルの未構成の周辺セルであると判定し、前記未構成の周辺セルについての情報を前記第１の基地局に送信するように構成され、
前記第１の基地局は、前記第２の基地局により送信された前記未構成の周辺セルについての情報を受信し、前記未構成の周辺セルについての情報に従って前記第１のセルの前記未構成の周辺セルを取得し、前記未構成の周辺セルを前記第１のセルの周辺セルリストに追加するように構成されるシステム。
【請求項９】
周辺セルを最適化する方法であり、第１のネットワーク及び第２のネットワークは、重なり合うネットワーク構成にあり、前記第１のネットワークの第１のセル及び前記第２のネットワークの第２のセルは、共通のカバレッジエリアを有し、前記第１のセル及び前記第２のセルは、１つの基地局を共有する方法であって、
前記基地局により、前記第２のセルの端末により報告された未確認の物理識別子（PCI）を検出するステップと、
前記第２のセルの前記端末により報告された前記未確認のPCIに対応するグローバルセル識別子（GCI）を取得するステップと、
前記GCIに従ってセルが前記第１のセルの未構成の周辺セルであると判定するステップと、
前記未構成の周辺セルを前記第１のセルの周辺セルリストに追加するステップと
を有する方法。
【請求項１０】
前記GCIに従ってセルが前記第１のセルの未構成の周辺セルであると判定するステップは、
前記GCIに対応する前記第１のネットワークのセルを取得するステップと、
前記GCIに対応する前記第１のネットワークの前記セルが前記第１のセルの未構成の周辺セルであると判定するステップと
を有する、請求項９に記載の方法。
【請求項１１】
前記GCIに対応する前記第１のネットワークの前記セルが前記第１のセルの未構成の周辺セルであると判定するステップは、
前記GCIに対応する前記第１のネットワークの前記セルが前記第１のネットワークの未確認のセルであるか否かを判定するステップと、
前記GCIに対応する前記第１のネットワークの前記セルが前記第１のネットワークの未確認のセルである場合、前記GCIに対応する前記第１のネットワークの前記セルが前記第１のセルの未構成の周辺セルであると判定するステップと
を有する、請求項１０に記載の方法。
【請求項１２】
前記未構成の周辺セルを前記第１のセルの周辺セルリストに追加するステップは、
前記第１のセルの前記周辺セルリストを取得するステップと、
前記周辺セルリストに前記未構成の周辺セルと同じモバイルショートコードを有するセルを有するセルが存在するか否かを判定するステップと、
このようなセルが存在しない場合、前記未構成の周辺セルを前記第１のセルの前記周辺セルリストに追加するステップと
を有する、請求項９ないし１１のうちいずれか１項に記載の方法。
【請求項１３】
第１のネットワーク及び第２のネットワークは、重なり合うネットワーク構成にあり、前記第１のネットワークの第１のセル及び前記第２のネットワークの第２のセルは、共通のカバレッジエリアを有する場合、前記第１のセル及び前記第２のセルにより共有される基地局であって、
前記第２のセルの端末により報告された未確認の物理セル識別子（PCI）を検出するように構成された検出モジュールと、
前記第２のセルの前記端末により報告された前記未確認のPCIに対応するグローバルセル識別子（GCI）を取得し、前記GCIに従ってセルが前記第１のセルの未構成の周辺セルであると判定するように構成された取得モジュールと、
前記未構成の周辺セルを前記第１のセルの周辺セルリストに追加するように構成された追加モジュールと
を有する基地局。
【請求項１４】
前記取得モジュールは、
前記未確認のPCIに対応するグローバルセル識別子（GCI）を取得し、
前記GCIに対応する前記第１のネットワークのセルを取得し、
前記GCIに対応する前記第１のネットワークの前記セルが前記第１のセルの未構成の周辺セルであると判定するように更に構成される、請求項１３に記載の基地局。
【請求項１５】
前記取得モジュールは、
前記GCIに対応する前記第１のネットワークの前記セルが前記第１のネットワークの未確認のセルであるか否かを判定し、
前記GCIに対応する前記第１のネットワークの前記セルが前記第１のネットワークの未確認のセルである場合、前記GCIに対応する前記第１のネットワークの前記セルが前記第１のセルの未構成の周辺セルであると判定するように更に構成される、請求項１４に記載の基地局。
【発明の詳細な説明】
【技術分野】
【０００１】
本発明は、通信技術の分野に関し、特に周辺セルを最適化する方法、基地局及びシステムに関する。
【背景技術】
【０００２】
CDMA（Code  Division  Multiple  Access）システムでは、通常の通信を確保するために、移動電話端末が１つのセルのカバレッジエリアから他のセルのカバレッジエリアに移動したときに、セルの間のハンドオフが実行される必要がある。ハンドオフの間に、移動電話の検索範囲及びハンドオフ方向は、セルの周辺セルリストにより判定される。周辺セルが構成されていない場合又は不適切な優先度で構成されている場合、ネットワーク性能が影響を受ける。更に、冗長な周辺セル構成は、移動局がパイロット周波数を検索する時間に影響を及ぼす可能性がある。従って、適切な周辺セル最適化が、CDMAについて解決される必要のある重要な問題である。現在では、CDMAの大規模な周辺セルの最適化は、バックグラウンドの周辺セル最適化ツールを手動で操作することにより、ほとんど完了している。特に、CDMA基地局サブシステムは、未確認のCDMA  PN（Pseudo  Noise）（モバイルショートコード）を検出した後に、PNを周辺セル最適化ツールに送信し、手動の操作で、周辺セル最適化ツールはPNを分析し、PNが存在するセルが未構成の周辺セルであるか否かを判定し、セルが未構成の周辺セルである場合、未構成の周辺セルをCDMA基地局サブシステムに通知する。これにより、CDMAサブシステムは、未構成の周辺セルに従って周辺セルの最適化リストを更新する。
【発明の概要】
【発明が解決しようとする課題】
【０００３】
従来技術を分析した後に、発明者は、従来技術が少なくとも以下の欠点を有することを見出した。CDMA基地局サブシステムにより検出された後に、未確認のPNは、バックグランドの周辺セル最適化ツールを手動で操作することによってのみ処理可能であり、その結果、大規模な周辺セルの最適化は、常にバックグランドの周辺セル最適化ツールを使用することにより完了する。処理するデータソースは大きいサイズであり、ツールの効率は低い。
【課題を解決するための手段】
【０００４】
従来技術の問題を解決するために、本発明の実施例は、周辺セルを最適化する方法、基地局及びシステムを提供する。技術的対策は以下の通りである。
【０００５】
一態様では、周辺セルを最適化する方法が提供される。第１のネットワーク及び第２のネットワークは、重なり合うネットワーク構成にあり、第１のネットワークの第１のセル及び第２のネットワークの第２のセルは、共通のカバレッジエリアを有し、第１のセルに対応する基地局は、第２のセルに対応する基地局と異なる。この方法は、第２のセルに対応する基地局により、第２のセルの端末が未確認の物理識別子PCIを報告したことを検出し、第２のセルに対応する基地局により、未確認のPCIに対応するグローバルセル識別子GCIを取得し、GCIに対応するセルが第１のセルの未構成の周辺セルであると判定し、第２のセルに対応する基地局により、第１のセルに対応する基地局BSS又はオペレーションサポートシステムOSSが未構成の周辺セルについての情報に従って第１のセルの未構成の周辺セルを取得し、未構成の周辺セルを第１のセルの周辺セルリストに追加するため、未構成の周辺セルについての情報をBSS又はOSSに送信することを含む。
【０００６】
他の態様では、基地局が提供される。第１のネットワーク及び第２のネットワークは、重なり合うネットワーク構成にあり、第１のネットワークの第１のセル及び第２のネットワークの第２のセルは、共通のカバレッジエリアを有し、第１のセルに対応する基地局は、第２のセルに対応する基地局と異なる。基地局は、第２のセルに対応する基地局であり、基地局は、第２のセルの端末が未確認の物理識別子PCIを報告したことを検出するように構成された検出モジュールと、未確認のPCIに対応するグローバルセル識別子GCIを取得し、GCIに対応するセルが第１のセルの未構成の周辺セルであると判定するように構成された取得モジュールと、第１のセルに対応する基地局BSS又はオペレーションサポートシステムOSSが未構成の周辺セルについての情報に従って第１のセルの未構成の周辺セルを取得し、未構成の周辺セルを第１のセルの周辺セルリストに追加するため、未構成の周辺セルについての情報をBSS又はOSSに送信するように構成された送信モジュールとを含む。
【０００７】
他の態様では、第１の基地局と第２の基地局とを含む、周辺セルを最適化するシステムも提供される。第１のネットワーク及び第２のネットワークは、重なり合うネットワーク構成にあり、第１のネットワークの第１のセル及び第２のネットワークの第２のセルは、共通のカバレッジエリアを有し、第１のセルに対応する基地局は、第１の基地局であり、第２のセルに対応する基地局は、第２の基地局である。第２の基地局は、第２のセルの端末が未確認の物理識別子PCIを報告したことを検出し、未確認のPCIに対応するグローバルセル識別子GCIを取得し、GCIに対応するセルが第１のセルの未構成の周辺セルであると判定し、未構成の周辺セルについての情報を第１の基地局サブシステムに送信するように構成される。第１の基地局は、第２の基地局により送信された未構成の周辺セルについての情報を受信し、未構成の周辺セルについての情報に従って第１のセルの未構成の周辺セルを取得し、未構成の周辺セルを第１のセルの周辺セルリストに追加するように構成される。
【０００８】
一態様では、周辺セルを最適化する方法が提供される。第１のネットワーク及び第２のネットワークは、重なり合うネットワーク構成にあり、第１のネットワークの第１のセル及び第２のネットワークの第２のセルは、共通のカバレッジエリアを有し、第１のセル及び第２のセルは、１つの基地局を共有する。この方法は、基地局により、第２のセルの端末が未確認の物理識別子を報告したことを検出し、未確認の物理識別子に対応するグローバルセル識別子GCIを取得し、GCIに対応するセルが第１のセルの未構成の周辺セルであると判定し、未構成の周辺セルについての情報に従って第１のセルの未構成の周辺セルを取得し、未構成の周辺セルを第１のセルの周辺セルリストに追加することを含む。
【０００９】
他の態様では、基地局が更に提供される。第１のネットワーク及び第２のネットワークは、重なり合うネットワーク構成にあり、第１のネットワークの第１のセル及び第２のネットワークの第２のセルは、共通のカバレッジエリアを有し、基地局は、第１のセル及び第２のセルにより共有される基地局である。基地局は、第２のセルの端末が未確認の物理識別子を報告したことを検出するように構成された検出モジュールと、未確認の物理識別子PNに対応するグローバルセル識別子GCIを取得し、GCIに対応するセルが第１のセルの未構成の周辺セルであると判定するように構成された取得モジュールと、未構成の周辺セルについての情報に従って第１のセルの未構成の周辺セルを取得し、未構成の周辺セルを第１のセルの周辺セルリストに追加するように構成された追加モジュールとを含む。
【００１０】
本発明の実施例の技術的対策の利点は、第１のネットワーク及び第２のネットワークが重なり合うネットワーク構成にある場合、第２のネットワークは、第１のネットワークに対して周辺セルが構成されてないという問題を検出することを支援するために使用され、これにより、第１のネットワークのセルの自動的な周辺セルの最適化を実施する点にある。これは、ネットワーク最適化の人件費を低減する。
【図面の簡単な説明】
【００１１】
【図１】本発明の実施例に従って周辺セルを最適化する方法のフローチャート
【図２】本発明の実施例に従って周辺セルを最適化する他の方法のフローチャート
【図３】本発明の実施例に従って周辺セルを最適化する方法のフローチャート
【図４】本発明の実施例による基地局の概略構成図
【図５】本発明の実施例に従って周辺セルを最適化するシステムの概略構成図
【図６】本発明の実施例による基地局の概略構成図
【発明を実施するための形態】
【００１２】
本発明の目的、技術的対策及び利点を理解しやすくするために、以下に添付図面を参照して本発明の実施例について詳細に説明する。
【００１３】
図１を参照すると、本発明の実施例は、周辺セルを最適化する方法を提供する。第１のネットワーク及び第２のネットワークは、重なり合うネットワーク構成にあり、第１のネットワークの第１のセル及び第２のネットワークの第２のセルは、共通のカバレッジエリアを有し、第１のセルに対応する基地局は、第２のセルに対応する基地局と異なる。この方法は以下のステップを含む。
【００１４】
ステップ101：第２のセルに対応する基地局は、第２のセルの端末が未確認の物理識別子PCIを報告したことを検出する。
【００１５】
ステップ102：第２のセルに対応する基地局は、未確認のPCIに対応するグローバルセル識別子GCIを取得し、GCIに対応するセルが第１のセルの未構成の周辺セルであると判定する。
【００１６】
ステップ103：第２のセルに対応する基地局は、第１のセルに対応する基地局BSS又はオペレーションサポートシステムOSSが未構成の周辺セルについての情報に従って第１のセルの未構成の周辺セルを取得し、未構成の周辺セルを第１のセルの周辺セルリストに追加するため、未構成の周辺セルについての情報をBSS又はOSSに送信する。
【００１７】
或いは、未構成の周辺セルについての情報は、第２のセルと未確認のPCIに対応する第２のネットワークのセルとの対応についての情報と、第２のセルのGCIと、未確認のPCIに対応するGCIとを含む。BSS又はOSSが未構成の周辺セルについての情報に従って第１のセルの未構成の周辺セルを取得することは、BSS又はOSSにより、第２のセルのGCIに従って第２のセルに対応するセルが第１のセルであると判定し、未確認のPCIに対応するGCIに従ってGCIに対応する第１のネットワークのセルを判定し、GCIに対応する第１のネットワークのセルが第１のセルの未構成の周辺セルであるか否かを判定し、セルが第１のセルの未構成の周辺セルである場合、GCIに対応する第１のネットワークのセルを取得することを含む。
【００１８】
任意選択で、未構成の周辺セルについての情報は、第１のセルと未確認のPCIに対応するGCIに対応する第１のネットワークのセルとの対応についての情報と、未確認のPCIに対応するGCIとを含む。BSS又はOSSが未構成の周辺セルについての情報に従って第１のセルの未構成の周辺セルを取得することは、BSS又はOSSにより、第１のセルとGCIに対応する第１のネットワークのセルとの対応についての情報に従ってGCIに対応する第１のネットワークのセルを取得し、GCIに対応する第１のネットワークのセルが第１のセルの未構成の周辺セルであるか否かを判定し、セルが第１のセルの未構成の周辺セルである場合、GCIに対応する第１のネットワークのセルを取得することを含む。
【００１９】
更に実施例では、未構成の周辺セルを第１のセルの周辺セルリストに追加することは、第１のセルの周辺セルリストを取得し、周辺セルリストに未構成の周辺セルと同じモバイルショートコード（mobile  short  code）を有するセルを有するセルが存在するか否かを判定し、このようなセルが存在しない場合、未構成の周辺セルを第１のセルの周辺セルリストに追加することを含む。
【００２０】
任意選択で、実施例による方法は、周辺セルリストに未構成の周辺セルと同じモバイルショートコードを有するセルが存在する場合、未構成の周辺セルについての情報と、モバイルショートコードのコンフリクトが存在するという判定の情報と、コンフリクトしたモバイルショートコードとを含む周辺セル最適化情報を記録することを更に含む。
【００２１】
任意選択で、実施例による方法は、周辺セルリストに未構成の周辺セルと同じモバイルショートコードを有するセルが存在する場合、未構成の周辺セルのモバイルショートコードが周辺セルリストのモバイルショートコードと異なるように調整し、未構成の周辺セルを第１のセルの周辺セルリストに追加することを更に含む。
【００２２】
本発明により提供される方法の実施例の利点は、第１のネットワーク及び第２のネットワークが重なり合うネットワーク構成にある場合、第２のネットワークは、第１のネットワークに対して周辺セルが構成されてないという問題を検出することを支援するために使用され、これにより、第１のネットワークのセルの自動的な周辺セルの最適化を実施する点にある。これは、ネットワーク最適化の人件費を低減する。
【００２３】
図２を参照すると、本発明の実施例は、周辺セルを最適化する方法を提供する。第１のネットワーク及び第２のネットワークは、重なり合うネットワーク構成にあり、第１のネットワークの第１のセル及び第２のネットワークの第２のセルは、共通のカバレッジエリアを有し、第１のセル及び第２のセルは、１つの基地局を共有する。この方法は以下のステップを含む、
ステップ201：基地局は、第２のセルの端末が未確認の物理識別子PCIを報告したことを検出する。
【００２４】
ステップ202：未確認のPCIに対応するグローバルセル識別子GCIを取得し、GCIに対応するセルが第１のセルの未構成の周辺セルであると判定する。
【００２５】
ステップ203：未構成の周辺セルについての情報に従って第１のセルの未構成の周辺セルを取得し、未構成の周辺セルを第１のセルの周辺セルリストに追加する。
【００２６】
或いは、未構成の周辺セルについての情報は、第２のセルと未確認のPCIに対応する第２のネットワークのセルとの対応についての情報と、第２のセルのGCIと、未確認のPCIに対応するGCIとを含む。未構成の周辺セルについての情報に従って第１のセルの未構成の周辺セルを取得することは、第２のセルのGCIに従って第１のセルが第２のセルに対応すると判定し、未確認のPCIに対応するGCIに従ってGCIに対応する第１のネットワークのセルを判定し、GCIに対応する第１のネットワークのセルが第１のセルの未構成の周辺セルであるか否かを判定し、セルが第１のセルの未構成の周辺セルである場合、GCIに対応する第１のネットワークのセルを取得することを含む。
【００２７】
更に実施例では、任意選択で、未構成の周辺セルについての情報は、第１のセルと未確認のPCIのGCIに対応する第１のネットワークのセルとの対応についての情報と、未確認のPCIに対応するGCIとを含む。未構成の周辺セルについての情報に従って第１のセルの未構成の周辺セルを取得することは、第１のセルとGCIに対応する第１のネットワークのセルとの対応についての情報に従ってGCIに対応する第１のネットワークのセルを取得し、GCIに対応する第１のネットワークのセルが第１のセルの未構成の周辺セルであるか否かを判定し、セルが第１のセルの未構成の周辺セルである場合、GCIに対応する第１のネットワークのセルを取得することを含む。
【００２８】
更に実施例では、未構成の周辺セルを第１のセルの周辺セルリストに追加することは、第１のセルの周辺セルリストを取得し、周辺セルリストに未構成の周辺セルと同じモバイルショートコードPNを有するセルを有するセルが存在するか否かを判定し、このようなセルが存在しない場合、未構成の周辺セルを第１のセルの周辺セルリストに追加することを含む。
【００２９】
或いは、実施例の方法は、周辺セルリストに未構成の周辺セルと同じPNを有するセルが存在する場合、未構成の周辺セルについての情報と、PNのコンフリクトが判定されたという情報と、コンフリクトしたPNとを含む周辺セル最適化情報を記録することを更に含む。
【００３０】
任意選択で、実施例の方法は、周辺セルリストに未構成の周辺セルと同じPNを有するセルが存在する場合、未構成の周辺セルのPNが周辺セルリストのモバイルショートコードと異なるように調整し、未構成の周辺セルを第１のセルの周辺セルリストに追加することを更に含む。
【００３１】
本発明により提供される方法の実施例の利点は、第１のネットワーク及び第２のネットワークが重なり合うネットワーク構成にある場合、第２のネットワークは、第１のネットワークに対して周辺セルが構成されてないという問題を検出することを支援するために使用され、これにより、第１のネットワークのセルの自動的な周辺セルの最適化を実施する点にある。これは、ネットワーク最適化の人件費を低減する。
【００３２】
図３を参照すると、本発明の実施例は、周辺セルを最適化する方法を提供する。第１のネットワークが端末を使用することにより指定のPNのセルIDを読み取ることをサポートしていない場合、第２のネットワークは、指定のPNのセルを取得するために使用されてもよい。これにより、第１のネットワークのセルの周辺セルの最適化を実施する。以下の説明は、第１のネットワークがCDMAネットワークであり、第２のネットワークがLTEネットワークである例を使用する。
【００３３】
CDMAネットワークは、端末を使用することにより指定のPNのGCI（Global  Cell  Identity）を読み取ることをサポートしないが、LTEネットワークは、端末を使用することにより指定のPNのセルIDを読み取ることをサポートする。実施例では、LTEネットワーク及びCDMAネットワークが重なり合うネットワーク構成にある場合、LTEネットワークを用いて、CDMAネットワークのセルの周辺セルの最適化が自動的に実施可能になる。実施例では、CDMAネットワークのセル1及びLTEネットワークのセル2が共通のカバレッジエリアを有することを仮定する。特定の方法は以下のステップを含む。
【００３４】
ステップ301：LTEネットワークの基地局eNodeBは、セル2のLTE端末が未確認のPCIを報告したことを検出する。
【００３５】
実施例では、LTEは、周辺セルの最適化に際してCDMAを支援する。データサービスがLTE端末で実行している場合、eNodeBは、端末の測定イベントを構成する。次に、端末は、周波数内のセルの信号強度を測定する。測定時に、信号品質が測定イベントで構成された報告条件を満たすセルが存在する場合、端末は、未確認のセルのPCI（Physical  Cell  Identifier）を報告する。LTE端末が未確認のPCIを報告することは従来技術であり、ここでは説明しない。
【００３６】
ステップ302：eNodeBは、未確認のPCIに従ってPCIに対応するGCIを取得し、GCIに対応するセルが未構成の周辺セルであると判定する。
【００３７】
eNodeBにより、未確認のPCIに従ってPCIに対応するGCIを取得することは、以下のステップを特に含む。
1)eNodeBにより、LTE端末がPCIに対応するGCI（Global  Cell  Identity）を照会するために、クエリコマンドをLTE端末に配信する。
2)eNodeBにより、LTE端末により報告されたPCIに対応するGCIを受信する。ただし、GCIは、eNodeBにより配信されたクエリコマンドを受信したときに端末により照会される。
【００３８】
実施例では、eNodeBは、LTE端末により報告された未確認のPCIを受信したときに、未確認のPCIに対応するセルがセル2の未構成の周辺セルであると判定し、eNodeBは、未確認のPCIをセル2の周辺セルリストに追加し、LTE端末がPCIに対応するGCIを照会するために、クエリコマンドをLTE端末に配信する。LTE端末は、GCIを照会した後にGCIをeNodeBに報告する。特に実施例では、eNodeBが未確認のPCIに従ってPCIに対応するGCIを取得し、未確認のPCIに対応するセルが未構成の周辺セルであると判定することは従来技術であり、実施例では説明しない。
【００３９】
ステップ303：eNodeBは、未構成の周辺セルについての情報をCDMAネットワークのBSS又はOSSに通知する。
【００４０】
実施例では、eNodeBは、未確認のPCIに対応するセルがセル2の未構成の周辺セルであると判定した後に、未構成の周辺セルについての情報をCDMAネットワークのBSS又はOSS（Operation  Support  System）に通知する。未構成の周辺セルについての情報は、セル2と未確認のPCIに対応するLTEネットワークのセルとの対応でもよい。すなわち、eNodeBは、セル2と未確認のPCIに対応するセルとの関係をCDMAネットワークのBSS又はOSSに通知する。更に、未構成の周辺セルについての情報はまた、セル1と未確認のPCIに対応するCDMAネットワークのセルとの対応でもよい。すなわち、eNodeBは、セル2と未確認のPCIに対応するLTEネットワークのセルとの対応を取得した後に、セル1と未確認のPCIに対応するCDMAネットワークのセルとの対応を更に見つけ、この対応をCDMAネットワークのBSS又はOSSに送信する。どちらの対応がeNodeBによりCDMAネットワークのBSS又はOSSに送信されたとしても、CDMAネットワークは、最終的にCDMAネットワークにおいて未確認のPCIに対応するセルのGCIを取得することができる。GCIは、セルの一意の識別子である。各セルは一意のGCIに対応する。CDMAネットワークは、GCIを使用することにより未確認のセルの位置を正確に判定することで、未確認のセルが未構成の周辺セルであるか否かを判定してもよい。
【００４１】
実施例では、CDMAネットワークのセル1及びLTEネットワークのセル2は、共通のカバレッジエリアを有することを仮定する。セル1の基地局（BSS等）及びセル2の基地局（eNodeB等）は、同じ基地局でもよく、基地局は、eNodeBとBSSとの双方の機能を有し、基地局は、セル1の周辺セル情報とセル2の周辺セル情報との双方を保存する。
【００４２】
セル1のBSS及びセル2のeNodeBはまた、２つの異なる基地局でもよく、eNodeB及びBSは、これらの間で情報を交換してもよい。BSSは、eNodeBにより送信されたセル2の周辺セル情報を受信して保存してもよい。
【００４３】
eNodeBの機能とBSSの機能とが統合されたデバイスに実装された場合、ステップ303で実行される内容は省略されてもよく、統合されたデバイスの内部の信号伝達交換を使用することにより完結されてもよい。
【００４４】
ステップ304：BSS又はOSSは、未構成の周辺セルについての情報に従ってセル1の未構成の周辺セルを取得する。
【００４５】
実施例では、eNodeBが既にセル1と未確認のPCIに対応するCDMAネットワークのセルとの対応を見つけている場合、対応をBSS又はOSSに送信する。この場合、未構成の周辺セルについての情報は、eNodeBにより通知された、セル1と未確認のPCIに対応するCDMAネットワークのセルとの対応である。このステップは以下のステップを特に含む。
1)BSS又はOSSにより、セル1と未確認のPCIに対応するCDMAネットワークのセルとの対応に従って、未確認のPCIに対応するCDMAネットワークのセルを取得する。
2)BSS又はOSSにより、GCIに従って、未確認のPCIに対応するCDMAネットワークのセルがセル1の未構成のCDMA周辺セルであるか否かを判定し、セルがセル1の未構成のCDMA周辺セルである場合、未構成の周辺セルを取得する。
【００４６】
更に実施例では、eNodeBにより送信された未構成の周辺セルについての情報が、セル2と未確認のPCIに対応するLTEネットワークのセルとの対応と、未確認のPCIに対応するGCIとである場合、このステップは以下のステップを特に含む。
1)BSS又はOSSにより、セル2のGCIに従ってセル2に対応するCDMAネットワークのセルがセル1であることを見つける。
2)BSS又はOSSにより、未確認のPCIに対応するGCIに従ってGCIに対応するCDMAネットワークのセルを見つける。
3)BSS又はOSSにより、GCIに対応するCDMAネットワークのセルがセル1の未構成の周辺セルであるか否かを判定する。
【００４７】
BSS又はOSSにより、GCIに対応するCDMAネットワークのセルがセル1の未構成の周辺セルであるか否かを判定することは、BSS又はOSSにより、GCIに対応するCDMAネットワークのセルがCDMAネットワークの未確認のセルであるか否かを判定し、セルがCDMAネットワークの未確認のセルである場合、GCIに対応するCDMAネットワークのセルがセル1の未構成の周辺セルであると判定することを特に含む。
【００４８】
ステップ305：BSS又はOSSは、未構成の周辺セルをセル1の周辺セルリストに追加する。
【００４９】
更に、実施例は以下のステップを特に含んでもよい。
1)BSS又はOSSにより、セル1の周辺セルリストを取得する。
2)BSS又はOSSにより、セル1の周辺セルリストが未構成の周辺セルと同じPNを有する少なくとも１つのセルを含むか否かを検出し、セル1の周辺セルリストが未構成の周辺セルと同じPNを有する少なくとも１つのセルを含む場合、PNコードのコンフリクトが存在すると判定し、セル1の周辺セルリストが未構成の周辺セルと同じPNを有する少なくとも１つのセルを含まない場合、PNコードのコンフリクトが存在しないと判定する。
【００５０】
PNはセルの物理識別子であるため、既存の標準では限られた範囲の数が規定されており、各セルが一意のPN識別子に対応することは不可能である。従って、PNが共有されることが考えられる。PNコードのコンフリクトが存在しない場合、BSS又はOSSは、未構成の周辺セルをセル1の周辺セルリストに追加してもよい。
【００５１】
PNコードのコンフリクトの場合には、別法として、BSS又はOSSは、今回の周辺セルの最適化についての情報を記録してもよい。周辺セル最適化情報は、未構成の周辺セルについての情報、PNコードのコンフリクトが存在するという情報、コンフリクトするPNコード等を含む。或いは、BSS又はOSSは、未構成の周辺セルのPNコードがセル1の周辺セルリストのPNコードと異なるように自動的に調整し、PNコードが調整された後に、未構成の周辺セルをセル1の周辺セルリストに追加してもよい。
【００５２】
本発明により提供される方法の実施例の利点は、CDMA及びLTEネットワークが重なり合うネットワーク構成にある場合、LTEネットワークは、CDMAネットワークが未構成の周辺セルを検出することを支援するために使用され、これにより、自動的なCDMA周辺セルの最適化を実施する点にある。これは、CDMA周辺セルの最適化の人件費を低減する。更に、周辺セルの最適化は、CDMAシステムのソフトハンドオフ成功率を向上させ、呼ドロップレートを低減することにより、ネットワーク性能及びユーザ経験を向上させることができる。
【００５３】
図４を参照すると、本発明の実施例は、基地局を提供する。第１のネットワーク及び第２のネットワークは、重なり合うネットワーク構成にあり、第１のネットワークの第１のセル及び第２のネットワークの第２のセルは、共通のカバレッジエリアを有し、第１のセルに対応する基地局は、第２のセルに対応する基地局と異なる。この実施例で提供される基地局は、第２のセルに対応する基地局である。基地局は、検出モジュール401と、取得モジュール402と、送信モジュール403とを含む。
【００５４】
検出モジュール401は、第２のセルの端末が未確認の物理識別子PCIを報告したことを検出するように構成される。
【００５５】
取得モジュール402は、未確認のPCIに対応するグローバルセル識別子GCIを取得し、GCIに対応するセルが第１のセルの未構成の周辺セルであると判定するように構成される。
【００５６】
送信モジュール403は、第１のセルに対応する基地局BSS又はオペレーションサポートシステムOSSが未構成の周辺セルについての情報に従って第１のセルの未構成の周辺セルを取得し、未構成の周辺セルを第１のセルの周辺セルリストに追加するため、未構成の周辺セルについての情報をBSS又はOSSに送信するように構成される。
【００５７】
本発明により提供される実施例の技術的対策の利点は、第１のネットワーク及び第２のネットワークが重なり合うネットワーク構成にある場合、第２のネットワークは、第１のネットワークが未構成の周辺セルを検出することを支援するために使用され、これにより、第１のネットワークのセルの自動的な周辺セルの最適化を実施する点にある。これは、ネットワーク最適化の人件費を低減する。
【００５８】
図５を参照すると、本発明の実施例は、周辺セルを最適化するシステムを提供する。このシステムは、第１の基地局501と第２の基地局502とを含む。第１のネットワーク及び第２のネットワークは、重なり合うネットワーク構成にあり、第１のネットワークの第１のセル及び第２のネットワークの第２のセルは、共通のカバレッジエリアを有し、第１のセルに対応する基地局は、第１の基地局であり、第２のセルに対応する基地局は、第２の基地局である。第２の基地局502は、第２のセルの端末が未確認の物理識別子PCIを報告したことを検出し、未確認のPCIに対応するグローバルセル識別子GCIを取得し、GCIに対応するセルが第１のセルの未構成の周辺セルであると判定し、未構成の周辺セルについての情報を第１の基地局に送信するように構成される。第１の基地局501は、第２の基地局により送信された未構成の周辺セルについての情報を受信し、未構成の周辺セルについての情報に従って第１のセルの未構成の周辺セルを取得し、未構成の周辺セルを第１のセルの周辺セルリストに追加するように構成される。
【００５９】
本発明の実施例の技術的対策の利点は、第１のネットワーク及び第２のネットワークが重なり合うネットワーク構成にある場合、第２のネットワークは、第１のネットワークが未構成の周辺セルを検出することを支援するために使用され、これにより、第１のネットワークのセルの自動的な周辺セルの最適化を実施する点にある。これは、ネットワーク最適化の人件費を低減する。
【００６０】
図６を参照すると、本発明の実施例は、基地局を提供する。第１のネットワーク及び第２のネットワークは、重なり合うネットワーク構成にあり、第１のネットワークの第１のセル及び第２のネットワークの第２のセルは、共通のカバレッジエリアを有し、基地局は、第１のセル及び第２のセルにより共有される基地局である。基地局は、検出モジュール601と、取得モジュール602と、追加モジュール603とを含む。
【００６１】
検出モジュール601は、第２のセルの端末が未確認の物理識別子PCIを報告したことを検出するように構成される。
【００６２】
取得モジュール602は、未確認のPCIに対応するグローバルセル識別子GCIを取得し、GCIに対応するセルが第１のセルの未構成の周辺セルであると判定するように構成される。
【００６３】
追加モジュール603は、未構成の周辺セルについての情報に従って第１のセルの未構成の周辺セルを取得し、未構成の周辺セルを第１のセルの周辺セルリストに追加するように構成される。
【００６４】
或いは、未構成の周辺セルについての情報は、第２のセルと未確認のPCIに対応する第２のネットワークのセルとの対応についての情報と、第２のセルのGCIと、未確認のPCIに対応するGCIとを含む。追加モジュール603は、第２のセルのGCIに従って第２のセルに対応するセルが第１のセルであると判定し、未確認のPCIに対応するGCIに従ってGCIに対応する第１のネットワークのセルを判定し、GCIに対応する第１のネットワークのセルが第１のセルの未構成の周辺セルであるか否かを判定し、セルが第１のセルの未構成の周辺セルである場合、GCIに対応する第１のネットワークのセルを取得するように特に構成される。
【００６５】
或いは、実施例では、未構成の周辺セルについての情報は、第１のセルと未確認のPCIのGCIに対応する第１のネットワークのセルとの対応についての情報と、未確認のPCIに対応するGCIとを含む。追加モジュール603は、第１のセルとGCIに対応する第１のネットワークのセルとの対応関係の情報に従ってGCIに対応する第１のネットワークのセルを取得し、GCIに対応する第１のネットワークのセルが第１のセルの未構成の周辺セルであるか否かを判定し、セルが第１のセルの未構成の周辺セルである場合、GCIに対応する第１のネットワークのセルを取得するように特に構成される。
【００６６】
本発明により提供される装置の実施例の利点は、第１のネットワーク及び第２のネットワークが重なり合うネットワーク構成にある場合、第２のネットワークは、第１のネットワークが未構成の周辺セルを検出することを支援するために使用され、これにより、第１のネットワークのセルの自動的な周辺セルの最適化を実施する点にある。これは、ネットワーク最適化の人件費を低減する。
【００６７】
本発明の実施例は、ソフトウェアを使用することにより実施されてもよい。対応するソフトウェアプログラムは、コンピュータのハードディスク、キャッシュ又はコンパクトディスクのような読み取り可能な記憶媒体に格納されてもよい。
【００６８】
前述のものは、本発明の単に例示的な実施例であり、本発明の範囲はこれに限定されない。本発明の原理から逸脱することなく行われる全ての変更、等価置換及び改善は、本発明の範囲に入るものとする。
【図１】
0005748906.tif 000002
【図２】
0005748906.tif 000003
【図３】
0005748906.tif 000004
【図４】
0005748906.tif 000005
【図５】
0005748906.tif 000006
【図６】
0005748906.tif 000007